(57)【要約】【課題】繊維の不織布でろ材を構成したオイルミスト捕集用フィルタについて、目詰まりと圧損の上昇が抑制されて安定した捕集性能が長く維持されるようにすることを課題としている。【解決手段】フィルタユニットを、プリーツ加工されたろ材２と、このろ材を囲う方形の外枠３と、その外枠の下横枠材３ｂに設けられた溝４に挿入されてろ材を下から支えて溝４の溝底から浮き上がらせるリフター５を有し、ろ材２が、長繊維を縦向きに配向した不織布を用いて構成され、リフター５は、多孔板材を曲げ加工して形成され、そのリフター５に、フィルタ入口側に配置されてろ材のプリーツの山を受け入れる切欠き部８と、隣り合う切欠き部間に配置されてろ材の隣り合うプリーツ間に挿入される間隔保持部材９が設けられたものにした。【選択図】図５
2014061467.tif 000002
【特許請求の範囲】
【請求項１】
プリーツ加工されたろ材（２）と、このろ材を囲う方形の外枠（３）と、その外枠の下横枠材（３ｂ）に設けられた溝（４）に挿入されて前記ろ材（２）を下から支えて前記下横枠材（３ｂ）の溝底から浮き上がらせるリフター（５）を有し、
前記ろ材（２）が、長繊維を縦向きに配向した不織布を用いて構成され、
前記リフター（５）は、多孔板材を曲げ加工して形成され、そのリフター（５）に、フィルタ入口側に配置されて前記ろ材（２）のプリーツの山を受け入れる切欠き部（８）と、隣り合う切欠き部間に配置されてろ材の隣り合うプリーツ間に挿入される間隔保持部材（９）が設けられたオイルミスト捕集用フィルタユニット。
【請求項２】
前記切欠き部（８）が、前記ろ材（２）のプリーツの山を切欠き部の中央に案内するセンタリング用の斜面（８ａ）を有し、その斜面（８ａ）によって前記間隔保持部材（９）の側縁が構成された請求項１に記載のオイルミスト捕集用フィルタユニット。
【請求項３】
密度差のある不織布の少なくとも２枚を、目が粗くて密度の小さい不織布（２ａ）が目の細かい不織布（２ｂ）よりもフィルタの入口側にある状態にして重ね合わせ、さらに、各不織布間に金属線を粗く編んで作られたデミスター（２ｃ）又は多孔波板のスペーサを介在し、両面に補強用のラス（２ｄ）を配置し、このようにして得られる積層材をプリーツ加工して所定の波高さと波ピッチを有する形状に仕立て、これを前記ろ材（２）として用いた請求項１又は２に記載のオイルミスト捕集用フィルタ。
【請求項４】
前記リフター（５）は、断面がＶ字状の底壁（５ａ）とその底壁の両端から立ち上がる側壁（５ｂ）を有し、２つの側壁（５ｂ）が、前記底壁（５ａ）の復元弾性力によって前記外枠（３）の下横枠材に設けられた溝（４）の側面に押し当てられ、さらに、片方の側壁の上端に、前記間隔保持部材（９）が直角内向きに延びだすように連なった構造を有する請求項１〜３のいずれかに記載のオイルミスト捕集用フィルタ。
【発明の詳細な説明】
【技術分野】
【０００１】
この発明は、オイルミスト捕集用のフィルタユニット、詳しくは、目詰まりの抑制効果を高めて捕集性能の安定化を図ったフィルタユニットに関する。
【背景技術】
【０００２】
既知のオイルミスト捕集用フィルタの中に、ろ材（フィルタメディア）をプリーツ加工することで捕集面積を増加させたものがある。そのプリーツ加工されたろ材を使用するオイルミスト捕集用フィルタは、プリーツの山、谷の配列ピッチがばらつくと、ろ材の各部における気体の通過抵抗が安定せず捕集性能が不安定になる。
【０００３】
そこで、内側辺に定ピッチで凹所を形成したスタビライザを使用し、そのスタビライザの前記凹所にろ材のプリーツの山頂部を差し込むことで山頂部を位置決めし、さらに、そのスタビライザの隣り合う凹所間に形成された間隔保持部を各プリーツ間に挿入することでプリーツの間隔を保持する構造が提案されている（下記特許文献１参照）。この特許文献１のフィルタは粉塵捕集用であるが、オイルミストの捕集に利用することは不可能ではない。
【０００４】
また、オイルミスト捕集用のフィルタ（グリスフィルタ）について、主フィルタとその主フィルタの上流（濾過する排気が導入されるフィルタの入口側）に配置されるプレフィルターとの間にエキスパンドメタル板やパンチングメタル板を加工した多孔性波型板を介在する構造が下記特許文献２に記載されている。
【先行技術文献】
【特許文献】
【０００５】
【特許文献１】特開平６−３４３８０４号公報
【特許文献２】実用新案登録第３０４１３８６号公報
【発明の概要】
【発明が解決しようとする課題】
【０００６】
金属繊維や有機繊維で構成される不織布や多孔質体でろ材を構成したオイルミスト捕集用のフィルタは、捕捉したオイルが蓄積されてろ材が目詰まりを起こし、そのために、圧損が上昇して捕集効率が著しく低下する。従って、捕集したオイルの回収性能が重視されるが、前掲の特許文献１の構造をオイルミスト捕集用のフィルタに適用すると、捕捉したオイルの流下がスタビライザによって阻害される。
【０００７】
ろ材を通過する気体の圧力は、フィルタの入口側よりも出口側で低くなる。そのために、オイルミストの捕集では、捕集したオイルがろ材の出口側に集中する。特許文献１のフィルタは、スタビライザがろ材の端面に密着しており、ろ材の端面を伝って流下するオイルの移動がスタビライザが接している箇所ではスタビライザによって阻害される。そのために、ろ材の目詰まりが起こり易く、安定した捕集性能の維持が期待できない。
【０００８】
捕集性能を高める目的でろ材の密度を厚み方向に変化させた（入口側の目を粗くし、出口側の目を細かくした）フィルタが知られているが、そのようなフィルタでは特に、目の細かい出口側に捕集したオイルが集中するため、目詰まりとそれによる圧損の上昇が起こり易い。
【０００９】
上述した理由から、特許文献１の構造は、オイルミストの捕集には適さない。
【００１０】
そこで、この発明は、繊維の不織布でろ材を構成したオイルミスト捕集用フィルタについて、目詰まりと圧損の上昇が抑制されて安定した捕集性能が長く維持されるようにすることを課題としている。
【課題を解決するための手段】
【００１１】
上記の課題を解決するため、この発明においては、オイルミスト捕集用フィルタユニットを以下の通りに構成した。即ち、プリーツ加工されたろ材と、このろ材を囲う方形の外枠と、その外枠の下横枠材に設けられた溝に挿入されて前記ろ材を下から支えて前記下横枠材の溝底から浮き上がらせるリフターを有し、
前記ろ材が、長繊維を縦向きに配向した不織布を用いて構成され、
前記リフターは、多孔板材を曲げ加工して形成され、そのリフターに、フィルタ入口側に配置されて前記ろ材のプリーツの山を受け入れる切欠き部と、隣り合う切欠き部間に配置されてろ材の隣り合うプリーツ間に挿入される間隔保持部材が設けられたものにした。
【００１２】
かかるフィルタユニットは、前記切欠き部が、前記ろ材のプリーツの山を切欠き部の中央に案内するセンタリング用の斜面を有し、その斜面によって前記間隔保持部材の側縁が構成されたものにすると好ましい。
【００１３】
また、密度差のある不織布の少なくとも２枚を、目が粗くて密度の小さいものがフィルタの入口側にある状態にして重ね合わせ、さらに、各不織布間に金属線を粗く編んで作られたデミスター又は多孔波板のスペーサを介在し、両面に補強用ラスを配置し、このようにして得られる平板状の積層材をプリーツ加工して所定の波高さと波ピッチを有する形状に仕立てたものをろ材として利用するのも好ましい。
【００１４】
さらに、ろ材を構成する不織布は、洗浄による再使用が可能なステンレス繊維の不織布が好ましく、前記デミスターもステンレス線で形成したものが好ましい。スペーサを構成する多孔波板は、ステンレス鋼からなるものが適している。また、前記リフターを構成する多孔板は、耐食性のあるステンレス鋼のパンチングメタルが適している。
【００１５】
このほか、前記リフターは、断面がＶ字状の底壁とその底壁の両端から立ち上がる側壁を有し、その２つの側壁が、底壁の復元弾性力によって前記外枠の下横枠材に設けられた溝の側面に押し当てられ、さらに、片方の側壁の上端に、前記間隔保持部材が直角内向きに延びだすように連なった構造のものが好ましい。
【発明の効果】
【００１６】
この発明のオイルミスト捕集用フィルタユニットは、外枠の下横枠材に設けられた溝に多孔板材で形成されたリフターを挿入してそのリフターでろ材を前記溝の溝底から浮き上がらせているため、ろ材と前記溝底との間に捕捉したオイルを流入させる空間が形成される。
【００１７】
また、リフターに設けた間隔保持部材の傾斜した側縁によってろ材のプリーツの山頂部がセンタリングされて切欠き部の底に位置決めされ、さらに、前記間隔保持部材によってろ材のプリーツの間隔が保持される。
【００１８】
さらに、前記間隔保持部材が捕捉オイルの集中が起こらないフィルタの入口側に配置されているため、捕捉されたオイルの流下が間隔保持部材によって阻害されることがない。加えて、長繊維を縦に配向した不織布をろ材として用いているため、捕捉したオイルが流下しやすく、捕捉したオイルの蓄積とそれによる圧損の上昇が抑制されて捕集性能の安定性が維持される。
【００１９】
なお、密度差のある不織布を重ね合わせて使用するものは、上流側の不織布に捕捉されたオイルが不織布の入口側と出口側の間に生じる圧力差によって上流側不織布の出口に集中する。そのオイルが密度の大きい（目の細かい）下流側不織布に流れ込むと下流側不織布が目詰まりし易くなる。
【００２０】
この問題に対して、各不織布間に多孔波板のスペーサを介在して重ね合わせ、その積層材をプリーツ加工したものをろ材として使用するフィルタユニットは、重ねた不織布間にスペーサによって作られる空間が生じる。これにより入口側不織布の出口に集ったオイルが不織布間の隙間を通ってリフター上に流下し、下流側不織布に流れ移り難くなる。そのために、下流側不織布の早期目詰まりが防止され、捕集効率の急激な低下が回避される。
【図面の簡単な説明】
【００２１】
【図１】この発明のフィルタユニットの一例を示す正面図
【図２】同上のフィルタユニットの平面図
【図３】図１のＡ−Ａ線に沿った拡大断面図
【図４】図１のＢ−Ｂ線に沿った拡大断面図
【図５】外枠の下横枠材とろ材とリフターの位置関係を示す斜視図
【図６】ろ材の拡大断面図
【図７】リフターの一部の拡大斜視図
【図８】（ａ）リフターの自由状態の側面図，（ｂ）リフターの外枠に対する取り付け状態の側面図
【発明を実施するための形態】
【００２２】
以下、この発明のオイルミスト捕集用フィルタユニットの実施の形態を、添付図面の図１〜図８に基づいて説明する。
【００２３】
例示のオイルミスト捕集用フィルタユニット１は、一定の波高さと一定の波ピッチを有するようにプリーツ加工されたろ材２（図３、図５、図６参照）と、このろ材を囲う外枠３と、その外枠の下横枠材３ｂに設けられた溝４に挿入されるリフター５とで構成されている。
【００２４】
リフター５は、ろ材２を下から支えて下横枠材３ｂの溝底から浮き上がらせる。これにより、ろ材２と溝４の溝底との間に油溜り６となる空間が形成され、そこに捕捉したオイルを流入させることができる。
【００２５】
ろ材２は、ここでは、図５、図６に詳細を示す構造のもの、即ち、フィルタの入口側に配置する第１不織布２ａと、フィルタの出口側に配置する第２不織布２ｂと、これらの不織布間に介在するデミスター２ｃと、両面に配置される補強用ラス２ｄからなるものを示した。
【００２６】
第１不織布２ａは、第２不織布２ｂよりも密度が小さく、第２不織布２ｂは第１不織布２ａより目が細かくて密度が大きい。この第１不織布２ａと第２不織布２ｂは、長繊維を多数重ねて引き揃え、ニードルパンチング処理などで交絡させて作られたものであって、長繊維が縦方向に配向された状態になっている。材料の長繊維は、金属、有機繊維、無機繊維を問わないが、耐食性に優れるスレンレス鋼を用いると、洗浄によるろ材の機能再生が図れ、耐久性に優れたろ材の繰り返し使用が可能になる。
【００２７】
デミスター２ｃは、自身もオイルの捕集機能を有するが、第１不織布２ａと第２不織布２ｂ間に捕捉したオイルの流下スペースを作り出すことを主目的にして設けられたものであって、ステンレスの線材を粗く編んだものを用いている。これに代えてステンレス鋼の多孔波板からなるスペーサを設けてもオイルの流下スペースを作り出すことができる。また、補強用ラス２ｄはステンレス鋼のラスを用いている。
【００２８】
図示のろ材２は、第１不織布２ａと第２不織布２ｂを、第１不織布２ａが第２不織布２ｂよりもフィルタの入口側にある状態にして重ね合わせ、さらに、各不織布間にデミスター２ｃを介在し、両面に補強用ラス２ｄを配置し、このようにして得られる平板状の積層材を所定の波高さと波ピッチを有するようにプリーツ加工して作られている。その断面を図６に示す。
【００２９】
外枠３は、上横枠材３ａと下横枠材３ｂと左右の縦枠材３ｃ、３ｃを組み合わせた方形の枠である。この外枠３を構成する４つの枠材は、スレンレスの溝型鋼を用いており、それらの枠材を溝が内周に現われるように組み合わせて外枠３を構成し、下横枠材３ｂの溝４の中にリフター５を挿入している。なお、上横枠材３ａには好ましい要素の水切り孔７が複数設けられており、汚れたフィルタユニットを洗浄したときに逆さまにして立てかけることで外枠３の内側に溜まった洗浄液を水切り孔７から排出することができる。
【００３０】
図中３ｄは、必要に応じて設ける補強桟である。フィルタの出口側において縦枠材３ｃ、３ｃ間にこの補強桟３ｄを横架して設けると、ろ材２の強度不足が補われてろ材２の風圧による撓みが抑制される。ろ材２が十分な強度を有していれば、その補強桟３ｄは省くことができる。
【００３１】
リフター５は、多孔板を材曲げ加工して形成されている。このリフター５を構成する多孔板は、耐食性のあるステンレス鋼が好ましく、ここではその要求に応えてステンレス鋼のパンチングメタルを用いている。
【００３２】
このリフター５には、フィルタ入口側に配置されてろ材２のプリーツの山を受け入れる切欠き部８と、隣り合う切欠き部間に配置されてろ材２の隣り合うプリーツ間に挿入される間隔保持部材９が設けられている。
【００３３】
図示のリフター５は、図７、図８に示すように、断面がＶ字状の底壁５ａとその底壁の両端から立ち上がる側壁５ｂ，５ｂを有し、その２つの側壁５ｂ，５ｂが、底壁５ａの復元弾性力によって下横枠材３ｂに設けられた溝４の側面に押し当てられ｛図８（ｂ）参照｝、さらに、片方の側壁の上端に、間隔保持部材９が直角内向きに延びだすように連なった構造になっている。図示の構造のリフター５は、パンチングメタルを打ち抜いて曲げ加工すればよいので容易に製造できる。また、外枠の溝に押し込むだけでよいので組み付けも簡単である。
【００３４】
切欠き部８は、ろ材２のプリーツの山を切欠き部の中央に案内するセンタリング用の斜面８ａを有し、その斜面８ａによって間隔保持部材９の側縁が構成されている。この切欠き部８は、Ｖ字状であってもよく、図示の半円形状に限定されない。
【００３５】
このように構成されたリフター５は、ろ材２を下から支えて下横枠材３ｂの溝底から浮き上がらせる。これにより、ろ材２と溝４の溝底との間に油溜り６となる空間が形成され、そこに捕捉したオイルを流入させることができる。
【符号の説明】
【００３６】
１          オイルミスト捕集用フィルタユニット
２          ろ材
２ａ        第１不織布
２ｂ        第２不織布
２ｃ        デミスター
２ｄ        補強用ラス
３          外枠
４          溝
５          リフター
５ａ        底壁
５ｂ        側壁
６          油溜り
７          水切り孔
８          切欠き部
８ａ        斜面（間隔保持部材の側縁）
９          間隔保持部材
【図１】
2014061467.tif 000003
【図２】
2014061467.tif 000004
【図３】
2014061467.tif 000005
【図４】
2014061467.tif 000006
【図５】
2014061467.tif 000007
【図６】
2014061467.tif 000008
【図７】
2014061467.tif 000009
【図８】
2014061467.tif 000010